(57)【要約】電解質が漏洩し難い積層蓄電デバイスを提供する第１の集電体１１ａの第２の端面１０ｆ側の端部である第１の端部１１ｃは、第１の分極性電極層１１ｂよりも絶縁性接着部１５の内部まで延びており、第２の集電体１２ａの第１の端面１０ｅ側の端部である第２の端部１２ｃは、第２の分極性電極層１２ｂよりも絶縁性接着部１５の内部まで延びている。
2016167156.tif 000002
【特許請求の範囲】
【請求項１】
長さ方向及び幅方向に沿って延びる第１及び第２の主面と、前記長さ方向及び厚み方向に沿って延びる第１及び第２の側面と、前記幅方向及び前記厚み方向に沿って延びる第１及び第２の端面とを有するデバイス本体を備え、
前記デバイス本体は、
第１の集電体と、前記第１の集電体の両面の少なくとも一方の上に設けられた第１の分極性電極層とを有し、少なくとも前記第１の集電体が前記第１の端面に引き出された第１の内部電極と、
第２の集電体と、前記第２の集電体の両面の少なくとも一方の上に設けられた第２の分極性電極層とを有し、少なくとも前記第２の集電体が前記第２の端面に引き出された第２の内部電極と、
前記第１の分極性電極層と前記第２の分極性電極層との間に設けられている電解質含有層と、
少なくとも一部同士が前記電解質含有層を介して対向する前記第１の集電体と前記第２の集電体とを接着しており、前記第１及び第２の分極性電極層と前記電解質含有層との周囲に設けられた絶縁性接着部と、
を有し、
前記第１の集電体の前記第２の端面側の端部である第１の端部は、前記第１の分極性電極層よりも前記絶縁性接着部の内部まで延びており、
前記第２の集電体の前記第１の端面側の端部である第２の端部は、前記第２の分極性電極層よりも前記絶縁性接着部の内部まで延びている、積層蓄電デバイス。
【請求項２】
前記第１の端部と、前記第２の端部とのそれぞれの主面は、前記絶縁性接着部と接着されている、請求項１に記載の積層蓄電デバイス。
【請求項３】
前記第１の集電体の幅方向における端部は、前記第１の分極性電極層よりも前記絶縁性接着部の内部まで延びており、
前記第２の集電体の幅方向における端部は、前記第２の分極性電極層よりも前記絶縁性接着部の内部まで延びている、請求項１又は２に記載の積層蓄電デバイス。
【請求項４】
前記第１の端部の長さ方向に沿った長さは、前記第１の集電体の厚みより長く、
前記第２の端部の長さ方向に沿った長さは、前記第２の集電体の厚みより長い、請求項１〜３のいずれか一項に記載の積層蓄電デバイス。
【請求項５】
前記第１及び第２の端部は、それぞれ、長さ方向に沿って湾曲する湾曲部を有する、請求項１〜４のいずれか一項に記載の積層蓄電デバイス。
【請求項６】
前記第１及び第２の端部は、それぞれ、前記湾曲部を複数有する、請求項５に記載の積層蓄電デバイス。
【発明の詳細な説明】
【技術分野】
【０００１】
本発明は、積層蓄電デバイスに関する。
【背景技術】
【０００２】
特許文献１に記載の積層蓄電デバイスは、第１の端面に引き出された第１の内部電極と、第２の端面に引き出された第２の内部電極と、第１の内部電極と第２の内部電極との間に配されたセパレータとを備えている。第１の端面の上には、第１の内部電極に電気的に接続された第１の外部電極が配されている。第２の端面の上には、第２の内部電極に電気的に接続された第２の外部電極が配されている。特許文献１に記載の積層蓄電デバイスは、内部電極と電解質層との界面の面積を大きくして容量を大きくするため、内部電極と電解質層との端面が面一となるように構成されている。
【先行技術文献】
【特許文献】
【０００３】
【特許文献１】国際公開第２０１４／０８３９２５号
【発明の概要】
【発明が解決しようとする課題】
【０００４】
特許文献１に記載の積層蓄電デバイスにおいて、電解質が漏洩することを抑制したいという要望がある。【０００５】
本発明の主な目的は、電解質が漏洩し難い積層蓄電デバイスを提供することにある。
【課題を解決するための手段】
【０００６】
本発明に係る積層蓄電デバイスは、デバイス本体を備える。デバイス本体は、第１及び第２の主面と、第１及び第２の側面と、第１及び第２の端面とを有する。第１及び第２の主面は、長さ方向及び幅方向に沿って延びる。第１及び第２の側面は、長さ方向及び厚み方向に沿って延びる。デバイス本体は、第１の内部電極と、第２の内部電極と、電解質含有層と、絶縁性接着部とを有する。第１の内部電極は、第１の集電体と、第１の分極性電極層とを有する。第１の分極性電極層は、第１の集電体の両面の少なくとも一方の上に設けられている。少なくとも第１の集電体は、第１の端面に引き出されている。第２の内部電極は、第２の集電体と、第２の分極性電極層とを有する。第２の分極性電極層は、第２の集電体の両面の少なくとも一方の上に設けられている。少なくとも第２の集電体は、第２の端面に引き出されている。電解質含有層は、第１の分極性電極層と第２の分極性電極層との間に設けられている。絶縁性接着部は、少なくとも一部同士が電解質含有層を介して対向する第１の集電体と第２の集電体とを接着している。絶縁性接着部は、第１及び第２の分極性電極層と電解質含有層との周囲に設けられている。第１の集電体の第２の端面側の端部である第１の端部は、第１の分極性電極層よりも絶縁性接着部の内部まで延びている。第２の集電体の第１の端面側の端部である第２の端部は、第２の分極性電極層よりも絶縁性接着部の内部まで延びている。このため、第１及び第２の端部のそれぞれと、絶縁性接着部との密着強度を高めることができる。よって、電解質の漏洩が生じにくい。また、第１及び第２の端部が、絶縁性接着部の内部まで延びているため、第１及び第２の端部が絶縁性接着部により保護される。このため、第１及び第２の集電体にクラックが発生することを抑制することができる。【０００７】
本発明に係る積層蓄電デバイスでは、第１の端部と、第２の端部とのそれぞれの主面が、絶縁性接着部と接着されていることが好ましい。【０００８】
本発明に係る積層蓄電デバイスでは、第１の集電体の幅方向における端部が、第１の分極性電極層よりも絶縁性接着部の内部まで延びており、第２の集電体の幅方向における端部が、第２の分極性電極層よりも絶縁性接着部の内部まで延びていることが好ましい。この場合、デバイス本体の幅方向の両端部においても、第１及び第２の集電体のそれぞれと、絶縁性接着部との密着強度を高めることができる。よって、電解質の漏洩がより生じ難い。【０００９】
本発明に係る積層蓄電デバイスでは、第１及び第２の端部が、それぞれ、長さ方向に沿って湾曲する湾曲部を有することが好ましい。この場合、第１及び第２の集電体のそれぞれと、絶縁性接着部との接着面積をより大きくすることができる。よって、第１及び第２の端部のそれぞれと、絶縁性接着部との密着強度をより高くすることができる。また、電解質の漏洩経路が長くなる。したがって、電解質の漏洩をより効果的に抑制することができる。【００１０】
本発明に係る積層蓄電デバイスでは、第１及び第２の端部が、それぞれ、湾曲部を複数有することが好ましい。この場合、第１及び第２の集電体のそれぞれと、絶縁性接着部との接着面積をより大きくすることができる。また、電解質の漏洩経路がより長くなる。したがって、電解質の漏洩をより効果的に抑制することができる。
【発明の効果】
【００１１】
本発明によれば、電解質が漏洩し難い積層蓄電デバイスを提供することができる。
【図面の簡単な説明】
【００１２】
【図１】図１は、第１の実施形態に係る積層蓄電デバイスの模式的斜視図である。
【図２】図２は、図１の線ＩＩ−ＩＩにおける模式的断面図である。
【図３】図３は、図１の線ＩＩＩ−ＩＩＩにおける模式的断面図である。
【図４】図４は、第２の実施形態に係る積層蓄電デバイスの一部分の模式的断面図である。
【発明を実施するための形態】
【００１３】
以下、本発明を実施した好ましい形態の一例について説明する。但し、下記の実施形態は、単なる例示である。本発明は、下記の実施形態に何ら限定されない。
【００１４】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１５】
（第１の実施形態）
図１は、本実施形態に係る積層蓄電デバイスの模式的斜視図である。図２は、図１の線ＩＩ−ＩＩにおける模式的断面図である。図３は、図１の線ＩＩＩ−ＩＩＩにおける模式的断面図である。
【００１６】
図１〜図３に示す積層蓄電デバイス１は、例えば、電気二重層コンデンサや、二次電池を構成するデバイスである。
【００１７】
積層蓄電デバイス１は、デバイス本体１０を備えている。デバイス本体１０は、第１及び第２の主面１０ａ、１０ｂと、第１及び第２の側面１０ｃ、１０ｄと、第１及び第２の端面１０ｅ、１０ｆとを有する。第１及び第２の主面１０ａ、１０ｂは、それぞれ、長さ方向Ｌ及び幅方向Ｗに沿って延びている。第１の主面１０ａと第２の主面１０ｂとは、厚み方向Ｔにおいて対向している。第１及び第２の側面１０ｃ、１０ｄは、それぞれ、長さ方向Ｌ及び厚み方向Ｔに沿って延びている。第１の側面１０ｃと第２の側面１０ｄとは、幅方向Ｗにおいて対向している。第１及び第２の端面１０ｅ、１０ｆのそれぞれは、幅方向Ｗ及び厚み方向Ｔに沿って延びている。第１の端面１０ｅと第２の端面１０ｆとは、長さ方向Ｌにおいて対向している。本実施形態では、デバイス本体１０は、略直方体状に設けられている。
【００１８】
図２に示すように、デバイス本体１０は、複数の第１の内部電極１１と、複数の第２の内部電極１２とを有する。第１及び第２の内部電極１１，１２は、厚み方向Ｔに沿って交互に設けられている。
【００１９】
第１の内部電極１１は、第１及び第２の主面１０ａ、１０ｂと平行に設けられている。第１の内部電極１１の少なくとも一部は、第１の端面１０ｅに引き出されている。第１の内部電極１１は、第２の端面１０ｆ並びに第１及び第２の側面１０ｃ、１０ｄには引き出されていない。
【００２０】
第１の内部電極１１は、第１の集電体１１ａと、第１の分極性電極層１１ｂとを有する。第１の分極性電極層１１ｂは、第１の集電体１１ａの少なくとも一方側の表面の上に設けられている。本実施形態では、第１の集電体１１ａの片面の上に、第１の分極性電極層１１ｂが設けられている。
【００２１】
第１の集電体１１ａは、例えば、アルミニウム、銅等の少なくとも一種の金属からなる金属箔により構成することができる。
【００２２】
第１の分極性電極層１１ｂは、活性炭などの炭素材料を含むことが好ましい。
【００２３】
第２の内部電極１２は、第１及び第２の主面１０ａ、１０ｂと平行に設けられている。第２の内部電極１２の少なくとも一部は、第２の端面１０ｆに引き出されている。第２の内部電極１２は、第１の端面１０ｅ並びに第１及び第２の側面１０ｃ、１０ｄには引き出されていない。
【００２４】
第２の内部電極１２は、第２の集電体１２ａと、第２の分極性電極層１２ｂとを有する。第２の分極性電極層１２ｂは、第２の集電体１２ａの少なくとも一方側の表面の上に設けられている。本実施形態では、第２の集電体１２ａの片面の上に、第２の分極性電極層１２ｂが設けられている。
【００２５】
第２の集電体１２ａは、例えば、アルミニウム、銅等の少なくとも一種の金属からなる金属箔により構成することができる。
【００２６】
第２の分極性電極層１２ｂは、活性炭などの炭素材料を含むことが好ましい。
【００２７】
第１の分極性電極層１１ｂと、第２の分極性電極層１２ｂとの間には、電解質含有層１３が設けられている。第１の分極性電極層１１ｂと第２の分極性電極層１２ｂとは、電解質含有層１３を介して対向している。
【００２８】
電解質含有層１３は、電解質を含有している。電解質含有層１３は、電解質を含有したゲルにより構成されていることが好ましい。ゲルとしては、例えば、高分子ポリエチレンオキサイド系樹脂等を用いることができる。
【００２９】
尚、本実施形態では、電解質含有層１３は、電解質を含有したゲルにより構成されている場合について説明したが、本発明はこれに限定されない。電解質含有層１３は、例えば、多孔質のセパレータ層に電解液を浸漬させたものであってもよい。
【００３０】
好ましく用いられる電解液の具体例としては、例えば、ＥＭＩＴＦＳＩ、ＥＭＩＢＦ４等のイオン性液体、プロピレンカーボネート、アセトニトリル等の溶媒等が挙げられる。
【００３１】
第１の内部電極１１の第１の集電体１１ａと、第２の内部電極１２の第２の集電体１２ａとは、少なくとも一部同士が電解質含有層１３を介して対向している。第１の内部電極１１の第１の集電体１１ａと、第２の内部電極１２の第２の集電体１２ａとは、絶縁性接着部１５により接着されている。
【００３２】
絶縁性接着部１５は、第１及び第２の分極性電極層１１ｂ、１２ｂと電解質含有層１３との周囲に設けられている。具体的には、第１及び第２の分極性電極層１１ｂ、１２ｂと電解質含有層１３との周囲を覆うように、絶縁性接着部１５が設けられている。
【００３３】
絶縁性接着部１５は、電解質を透過させない材料により構成されていることが好ましい。絶縁性接着部１５は、例えば、アクリル樹脂と、シリカなどのフィラーを含む樹脂組成物により構成されていることが好ましい。
【００３４】
第１の集電体１１ａの第２の端面１０ｆ側の長さ方向Ｌにおける端部は、第１の端部１１ｃを構成している。第１の端部１１ｃは、長さ方向Ｌにおいて、第１の分極性電極層１１ｂよりも絶縁性接着部１５の内部まで延びている。具体的には、第１の端部１１ｃの主面は、第１の分極性電極層１１ｂから露出している。第１の端部１１ｃの主面は、絶縁性接着部１５に臨んでいる。第１の端部１１ｃの主面と絶縁性接着部１５とは、接着されている。
【００３５】
第２の集電体１２ａの第１の端面１０ｅ側の長さ方向Ｌにおける端部は、第２の端部１２ｃを構成している。第２の端部１２ｃは、長さ方向Ｌにおいて、第２の分極性電極層１２ｂよりも絶縁性接着部１５の内部まで延びている。具体的には、第２の端部１２ｃの主面は、第２の分極性電極層１２ｂから露出している。第２の端部１２ｃの主面は、絶縁性接着部１５に臨んでいる。第２の端部１２ｃの主面と絶縁性接着部１５とは、接着されている。
【００３６】
第１の端部１１ｃの長さ方向Ｌに沿った長さは、第１の集電体１１ａの厚みより長い。具体的には、第１の端部１１ｃの長さ方向Ｌに沿った長さは、第１の集電体１１ａの厚みの１００倍以上であることが好ましく、３００倍以上であることがより好ましい。但し、第１の端部１１ｃの長さ方向Ｌに沿った長さが長すぎると、電気特性に寄与しない集電体面積が増えるため、必要以上の長さにすることは好ましくない。従って、第１の端部１１ｃの長さ方向Ｌに沿った長さは、第１の集電体１１ａの厚みの１０００倍以下であることが好ましく、７００倍以下であることがより好ましい。第２の端部１２ｃの長さ方向Ｌに沿ったは、第２の集電体１２ａの厚みより長い。具体的には、第２の端部１２ｃの長さ方向Ｌに沿った長さは、第２の集電体１２ａの厚みの２００倍以上であることが好ましく、３００倍以上であることがより好ましい。但し、第２の端部１２ｃの長さ方向Ｌに沿った長さが長すぎると、電気特性に寄与しない集電体面積が増える場合がある。従って、第２の端部１２ｃの長さ方向Ｌに沿った長さは、第２の集電体１２ａの厚みの１０００倍以下であることが好ましく、７００倍以下であることがより好ましい。
【００３７】
図３に示すように、第１の集電体１１ａの幅方向Ｗにおける端部１１ｄは、幅方向Ｗにおいて、第１の分極性電極層１１ｂよりも絶縁性接着部１５の内部まで延びている。端部１１ｄは、第１の分極性電極層１１ｂから露出している。端部１１ｄは、絶縁性接着部１５に臨んでいる。端部１１ｄの主面は、絶縁性接着部１５と接着されている。
【００３８】
第２の集電体１２ａの幅方向Ｗにおける端部１２ｄは、幅方向Ｗにおいて、第２の分極性電極層１２ｂよりも絶縁性接着部１５の内部まで延びている。端部１２ｄは、第２の分極性電極層１２ｂから露出している。端部１２ｄは、絶縁性接着部１５に臨んでいる。端部１２ｄの主面は、絶縁性接着部１５と接着されている。
【００３９】
隣り合う第１の集電体１１ａと第２の集電体１２ａとは、接着層１７により接着されている。接着層１７は、第１及び第２の端面１０ｅ、１０ｆのそれぞれに至っている。接着層１７は、例えば、ウレタン等により構成することができる。
【００４０】
隣り合う第１の内部電極１１と第２の内部電極１２とは、接着層１７により接着されている。
【００４１】
デバイス本体１０は、機能部１０Ａと、外装体１０Ｂとを有する。機能部１０Ａは、蓄電デバイスとしての機能を発現する部分である。機能部１０Ａは、上述した第１及び第２の内部電極１１，１２並びに電解質含有層１３を備えている。
【００４２】
外装体１０Ｂは、機能部１０Ａの外表面の一部を覆っている。具体的には、外装体１０Ｂは、機能部１０Ａの第１及び第２の主面並びに第１及び第２の側面を覆っている。機能部１０Ａの第１及び第２の端面は、外装体１０Ｂから露出している。従って、第１及び第２の主面１０ａ、１０ｂ並びに第１及び第２の側面１０ｃ、１０ｄは、外装体１０Ｂにより構成されている。第１及び第２の端面１０ｅ、１０ｆは、機能部１０Ａと外装体１０Ｂとにより構成されている。
【００４３】
第１の端面１０ｅの上には、第１の外部電極１８が設けられている。第１の外部電極１８は、第１の内部電極１１に電気的に接続されている。第１の外部電極１８は、第１の電極膜１８ａと、第１の金属キャップ１８ｂとを有する。
【００４４】
第１の電極膜１８ａは、第１の内部電極１１に接続されている。第１の電極膜１８ａは、第１の端面１０ｅを覆うように設けられている。詳細には、第１の電極膜１８ａは、第１の端面１０ｅの実質的に全体を覆っている。第１の電極膜１８ａは、第１及び第２の主面１０ａ、１０ｂ並びに第１及び第２の側面１０ｃ、１０ｄの上には位置していない。
【００４５】
第１の金属キャップ１８ｂは、デバイス本体１０の第１の端面１０ｅ側の部分を覆っている。具体的には、第１の金属キャップ１８ｂは、第１の端面１０ｅと、第１及び第２の主面１０ａ、１０ｂ並びに第１及び第２の側面１０ｃ、１０ｄのそれぞれの第１の端面１０ｅ側の部分を覆っている。
【００４６】
第１の金属キャップ１８ｂは、第１の電極膜１８ａに電気的に接続されている。
【００４７】
第２の端面１０ｆの上には、第２の外部電極１９が設けられている。第２の外部電極１９は、第２の内部電極１２に電気的に接続されている。第２の外部電極１９は、第２の電極膜１９ａと、第２の金属キャップ１９ｂとを有する。
【００４８】
第２の電極膜１９ａは、第２の内部電極１２に接続されている。第２の電極膜１９ａは、第２の端面１０ｆを覆うように設けられている。詳細には、第２の電極膜１９ａは、第２の端面１０ｆの実質的に全体を覆うように設けられている。第２の電極膜１９ａは、第１及び第２の主面１０ａ、１０ｂ並びに第１及び第２の側面１０ｃ、１０ｄの上には位置していない。
【００４９】
第２の金属キャップ１９ｂは、デバイス本体１０の第２の端面１０ｆ側の部分を覆っている。具体的には、第２の金属キャップ１９ｂは、第２の端面１０ｅと、第１及び第２の主面１０ａ、１０ｂ並びに第１及び第２の側面１０ｃ、１０ｄのそれぞれの第２の端面１０ｆ側の部分を覆っている。
【００５０】
第２の金属キャップ１９ｂは、第２の電極膜１９ａに電気的に接続されている。
【００５１】
第１及び第２の電極膜１８ａ、１９ａは、例えば、ＡｌやＡｌ合金等により構成することができる。
【００５２】
第１及び第２の金属キャップ１８ｂ、１９ｂは、それぞれ、例えば、Ｆｅ−Ｎｉ合金、Ｃｕ−Ｚｎ合金、Ｃｕ−Ｚｎ−Ｎｉ合金、Ａｌ等により構成することができる。第１及び第２の金属キャップ１８ｂ、１９ｂの外表面に、めっき膜が設けられていてもよい。めっき膜は、例えば、Ｎｉ／Ａｇめっき膜、Ｎｉ／Ａｕめっき膜、Ｎｉ／Ｓｎめっき膜等であってもよい。
【００５３】
ところで、上述のように、特許文献１に記載の積層蓄電デバイスは、内部電極と電解質層との界面の面積を大きくして容量を大きくするため、内部電極と電解質層との端面が面一となるように構成されている。本発明者らは、鋭意研究の結果、特許文献１に記載の積層蓄電デバイスでは、電解質の漏洩が生じやすいことを見出した。本発明者らは、さらに、鋭意研究した結果、電解質の漏洩が、内部電極の端面が絶縁性接着部と密着していないことがあるため、若しくは、内部電極の端面と絶縁性接着部との密着強度が低いため、内部電極の端面と絶縁性接着部との間に電解質の漏洩経路が生じやすいことに起因することを見出した。
【００５４】
積層蓄電デバイス１では、第１の集電体１１ａの第２の端面１０ｄ側の端部である第１の端部１１ｃが、第１の分極性電極層１１ｂよりも絶縁性接着部１５の内部まで延びている。第２の集電体１２ａの第１の端面１０ｅ側の端部である第２の端部１２ｃが、第２の分極性電極層１２ｂよりも絶縁性接着部１５の内部まで延びている。このため、第１及び第２の端部１１ｃ、１２ｃのそれぞれと、絶縁性接着部１５との密着強度を高めることができる。よって、積層蓄電デバイス１では、電解質の漏洩が生じにくい。また、第１及び第２の端部１１ｃ、１２ｃが、絶縁性接着部１５の内部まで延びているため、第１及び第２の端部１１ｃ、１２ｃが絶縁性接着部１５により保護される。このため、第１及び第２の集電体１１ａ、１２ａにクラックが発生することを抑制することができる。
【００５５】
本実施形態では、第１及び第２の端部１１ｃ、１２ｃのそれぞれの主面は、絶縁性接着部１５と接着されている。このため、第１及び第２の集電体１１ａ、１２ａのそれぞれと、絶縁性接着部１５との接着面積が大きい。よって、第１及び第２の端部１１ｃ、１２ｃのそれぞれと、絶縁性接着部１５との密着強度をより高くすることができる。したがって、電解質の漏洩をより効果的に抑制することができる。
【００５６】
第１及び第２の集電体１１ａ、１２ａのそれぞれと、絶縁性接着部１５との接着面積を大きくする観点からは、図３に示すように、第１の集電体１１ａの幅方向Ｗにおける端部が、第１の分極性電極層１１ｂよりも絶縁性接着部１５の内部まで延びており、第２の集電体１２ａの幅方向Ｗにおける端部が、第２の分極性電極層１２ｂのよりも絶縁性接着部１５の内部まで延びていることが好ましい。
【００５７】
同様の観点から、第１の端部１１ｃの長さ方向Ｌに沿った長さは、第１の集電体１１ａの厚みより長いことが好ましい。第２の端部１２ｃの長さ方向Ｌに沿った長さは、第２の集電体１２ａの厚みより長いことが好ましい。具体的には、第１の端部１１ｃの長さ方向Ｌに沿った長さは、第１の集電体１１ａの厚みの１００倍以上であることが好ましく、３００倍以上であることがより好ましい。但し、第１の端部１１ｃの長さ方向Ｌに沿った長さが長すぎると、電気特性に寄与しない集電体面積が増える場合がある。従って、第１の端部１１ｃの長さ方向Ｌに沿った長さは、第１の集電体１１ａの厚みの１０００倍以下であることが好ましく、７００倍以下であることがより好ましい。第２の端部１２ｃの長さ方向Ｌに沿ったは、第２の集電体１２ａの厚みより長い。具体的には、第２の端部１２ｃの長さ方向Ｌに沿った長さは、第２の集電体１２ａの厚みの２００倍以上であることが好ましく、３００倍以上であることがより好ましい。但し、第２の端部１２ｃの長さ方向Ｌに沿った長さが長すぎると、電気特性に寄与しない集電体面積が増える場合がある。従って、第２の端部１２ｃの長さ方向Ｌに沿った長さは、第２の集電体１２ａの厚みの１０００倍以下であることが好ましく、７００倍以下であることがより好ましい。
【００５８】
以下、本発明の好ましい実施形態の他の例について説明する。以下の説明において、上記第１の実施形態と実質的に共通の機能を有する部材を共通の符号で参照し、説明を省略する。
【００５９】
（第２の実施形態）
図４は、第２の実施形態に係る積層蓄電デバイス１ａの一部分の模式的断面図である。本実施形態では、第１及び第２の端部１１ｃ、１２ｃが、それぞれ、長さ方向に沿って湾曲する湾曲部を有する。このため、第１及び第２の集電体１１ａ、１２ａのそれぞれと絶縁性接着部１５との接着面積を、大きくすることができる。よって、第１及び第２の集電体１１ａ、１２ａのそれぞれと絶縁性接着部１５との密着強度をより高めることができる。また、電解質の漏洩経路を長くすることができる。したがって、電解質の漏洩をより効果的に抑制することができる。
【００６０】
本実施形態では、積層蓄電デバイス１ａは、第１及び第２の端部１１ｃ、１２ｃが、それぞれ、複数の湾曲部を有する。この場合、第１及び第２の端部１１ｃ、１２ｃが、複数の湾曲部を有さない場合と比べて、第１及び第２の集電体１１ａ、１２ａのそれぞれと絶縁性接着部１５との接着面積を、より大きくすることができる。また、電解質の漏洩経路をより長くすることができる。よって、電解質の漏洩をさらに効果的に抑制することができる。
【符号の説明】
【００６１】
１，１ａ  積層蓄電デバイス
１０  デバイス本体
１０Ａ  機能部
１０Ｂ  外装体
１０ａ  第１の主面
１０ｂ  第２の主面
１０ｃ  第２の側面
１０ｄ  第２の側面
１０ｅ  第１の端面
１０ｆ  第２の端面
１１  第１の内部電極
１２  第２の内部電極
１１ａ  第１の集電体
１２ａ  第２の集電体
１１ｂ  第１の分極性電極層
１２ｂ  第２の分極性電極層
１１ｃ  第１の端部
１２ｃ  第２の端部
１１ｄ，１２ｄ  端部
１３  電解質含有層
１５  絶縁性接着部
１７  接着層
１８  第１の外部電極
１８ａ  第１の電極膜
１８ｂ  第１の金属キャップ
１９  第２の外部電極
１９ａ  第２の電極膜
１９ｂ  第２の金属キャップ
【図１】
2016167156.tif 000003
【図２】
2016167156.tif 000004
【図３】
2016167156.tif 000005
【図４】
2016167156.tif 000006
【国際調査報告】
2016167156.tif 000007
2016167156.tif 000008
2016167156.tif 000009
2016167156.tif 000010